(57)【要約】【課題】従来は、圧縮金型内に、木材と板状体、及び拘束治具と挿入する構成である。装置としては、拘束治具が必要となり、部品数が増加する。拘束治具を媒介とすることで、板状体と圧縮金型との面方向におけるハ゛ランス感覚にくるいを発生する。角柱の形状・品質の確保が図れない。歩留まりの低下を招来する。また圧縮成形時に、熟練を要する。【構成】一次側の一方カ゛イト゛板と、対峙した一次側の他方カ゛イト゛板と、及び上型本体並びに上金型と、上型本体の一次側の一方カ゛イト゛板と嵌合せ関係となる間欠的に設けた二次側の一方カ゛イト゛板と、対峙した上型本体の一次側の他方カ゛イト゛板と嵌合せ関係となる間欠的に設けた二次側の他方カ゛イト゛板と、及び下型本体並びに下金型と、一次・二次移動手段とで構成した金型装置であって、中空部を備えた木材を挿入し、圧縮する構成とした圧縮木材の成形方法である。圧縮木材を簡易に製造できる。圧縮スヒ゜ート゛の向上と、圧縮力の低減化、溢水の減少化等が図れる。【選択図】　　図１
2004009567.tif 000002
【特許請求の範囲】
【請求項１】
間欠的に設けた一次側の一方カ゛イト゛板と、この一方カ゛イト゛板に対峙した一次側の他方カ゛イト゛板と、上型本体、及びこの一次側の一方・他方カ゛イト゛板に支持された上金型と、この上型本体の一次側の一方カ゛イト゛板と嵌合せ関係となる間欠的に設けた二次側の一方カ゛イト゛板と、この一方カ゛イト゛板に対峙した前記上型本体の一次側の他方カ゛イト゛板と嵌合せ関係となる間欠的に設けた二次側の他方　カ゛イト゛板と、下型本体、及びこの二次側の一方・他方カ゛イト゛板に支持された下金型と、前記上型本体及び一次側の一方・他方カ゛イト゛板を移動する一次移動手段、及び前記上下型本体及び一次・二次側の一方・他方カ゛イト゛板を移動する二次移動手段と、前記上下金型の嵌合形状を確保する緊締具とで構成される金型装置を利用して製造される圧縮木材であって、前記上下金型に、中空部を備えた木材を挿入し、この中空部を略完全に圧縮する構成とした圧縮木材の成形方法。
【請求項２】
請求項１に記載の中空部を孔として、この孔を複数個繞設して設ける構成とした圧縮木材の成形方法。
【請求項３】
請求項１に記載の木材の中空部に、補強用として役立つ鋼材、鉄筋、樹脂、ハ゜イフ゜、圧縮木材等の芯材を挿入して、この芯材入り木材を、圧縮成形して構成した金型装置を利用した圧縮木材。
【請求項４】
請求項１に記載の中空部を孔として、この孔に鋼材、鉄筋、樹脂、ハ゜イフ゜、圧縮木材等の芯材、又はワイヤー、ハ゜イフ゜、コート゛線等の部材を挿入して、この芯材又は部材入り木材を、圧縮成形して構成した金型装置を利用した圧縮木材。
【発明の詳細な説明】
【０００１】
【発明の属する技術分野】
この発明は、圧縮木材の成形方法と、金型装置を利用した圧縮木材に関する。
【０００２】
【従来の技術】
従来、本発明に近い文献としては、特開２００１−３３４５０４の角柱木材の圧縮成形方法及びその圧縮成形装置がある（文献とする）。内容は、上下型で形成される圧縮金型に矩形状、六角形状のキャヒ゛ティ形面（空間）を形成し、この空間には、木材と、この木材を囲繞する板状の形状保持用の板状体と、この板状体を緊締する拘束治具とを挿設する。この挿設後、この板状体と拘束治具とで囲繞された木材を、圧縮金型を介して圧縮成形して圧縮木材を形成し、この圧縮木材を、板状体と拘束治具とともに釜の中に入れ、加熱処理して形状保持する構成であり、特徴は、木材と、この木材の全長に略相当する四枚の鋼性の金属性板状体と、拘束治具とを圧縮金型に挿入し、この圧縮木材（角柱木材）を、板状体と拘束治具とともに釜の中に入れ、加熱処理したことで、長尺の角柱木材を、容易に製造すること、圧縮のサイス゛の拡充と、製造単価の低廉化を図ること、等を意図する。
【０００３】
【発明が解決しようとする課題】
しかし、文献は、圧縮金型内に、マント゛レルを挿入した木材をセットし、圧縮成形後に、マント゛レルを引抜いて中空圧縮木材を製造する方法と、木材の外周適所に、丸棒をセットして、異形圧縮木材を製造する方法とが開示されている。従って、異形圧縮材は製造できるが、中空状の圧縮木材では、利用する分野が限定されると思われること、強度的な問題があること、等の課題が考えられる。また外周面を異形とした異形圧縮木材では、その仕上げの際に、手間及び熟練を要すること、又はコストの上昇を招来して、分野が限定されると思われること、等の課題が考えられる。
【０００４】
【課題を解決するための手段】
請求項１の発明は、圧縮木材を簡易に製造すること、又は圧縮スヒ゜ート゛の向上と、圧縮力の低減化、溢水の減少化等を図ること、等を意図する。また前記の総合的な効果として、圧縮木材又は装置等の低コスト化、装置の簡略化、また利用分野の拡充等を意図する。
【０００５】
請求項１は、間欠的に設けた一次側の一方カ゛イト゛板と、この一方カ゛イト゛板に対峙した一次側の他方カ゛イト゛板と、上型本体、及びこの一次側の一方・他方カ゛イト゛板に支持された上金型と、この上型本体の一次側の一方カ゛イト゛板と嵌合せ関係となる間欠的に設けた二次側の一方カ゛イト゛板と、この一方カ゛イト゛板に対峙した前記上型本体の一次側の他方カ゛イト゛板と嵌合せ関係となる間欠的に設けた二次側の他方カ゛イト゛板と、下型本体、及びこの二次側の一方・他方カ゛イト゛板に支持された下金型と、前記上型本体及び一次側の一方・他方カ゛イト゛板を移動する一次移動手段、及び前記上下型本体及び一次・二次側の一方・他方カ゛イト゛板を移動する二次移動手段と、前記上下金型の嵌合形状を確保する緊締具とで構成される金型装置を利用して製造される圧縮木材であって、前記上下金型に、中空部を備えた木材を挿入し、この中空部を略完全に圧縮する構成とした圧縮木材の成形方法である。
【０００６】
また請求項２の発明は、請求項１の目的を達成しつつ、より製造の容易な構造の提供と、前記請求項１の特徴を凌駕する圧縮木材を提供すること、等を意図する。
【０００７】
請求項２は、請求項１に記載の中空部を孔として、この孔を複数個繞設して設ける構成とした圧縮木材の成形方法である。
【０００８】
請求項３の発明は、圧縮木材の強度の向上と、利用範囲の拡大を図りつつ、地震等の災害に強い圧縮木材を提供すること、又は災害時の人的な保護、倒壊防止等を図ること、また補強用の圧縮木材としての利用を図ることを意図する。
【０００９】
請求項３は、請求項１に記載の木材の中空部に、補強用として役立つ鋼材、鉄筋、樹脂、ハ゜イフ゜、圧縮木材等の芯材を挿入して、この芯材入り木材を、圧縮成形して構成した金型装置を利用した圧縮木材である。
【００１０】
請求項４の発明は、請求項３の目的を達成するのに最適な圧縮木材を提供することを意図する。
【００１１】
請求項４は、請求項１に記載の中空部を孔として、この孔に鋼材、鉄筋、樹脂、ハ゜イフ゜、圧縮木材等の芯材、又はワイヤー、ハ゜イフ゜、コート゛線等の部材を、それぞれ又は適宜挿入して、この芯材又は部材入り木材を、圧縮成形して構成した金型装置を利用した圧縮木材である。
【００１２】
【発明の実施の形態】
本発明の図面の内容を説明する。図１は金型装置の要部の斜視図、図２は図１の正面図である。また図３（ａ）は中空部１ａ−１をセンターに設けた木材の拡大正面図、同図（ｂ）は同図（ａ）の圧縮木材の拡大正面図、図４（ａ）は中空部１ａ−１を、孔１ａ−２として複数個繞設して設けた木材の拡大正面図、同図（ｂ）は同図（ａ）の圧縮木材の拡大正面図、また図５（ａ）はセンターに設けた中空部１ａ−１に、鋼材、棒材、鉄筋、圧縮木材等の芯材１ａ−３を設けた木材の拡大正面図、同図（ｂ）は同図（ａ）の圧縮木材の拡大正面図、図６（ａ）は複数個繞設した孔１ａ−２に、鋼材、棒材、鉄筋、圧縮木材等の芯材１ａ−３又はワィヤ−、ハ゜イフ゜、コート゛線等の部材１ａ−４を設けた木材の拡大正面図、同図（ｂ）は同図（ａ）の圧縮木材の拡大正面図である。以下、好ましい金型装置の各例を説明する。図７〜図１９は正六角形の圧縮木材を成形する過程を示しており、図７は開放状態の金型装置に木材を搬入する状態の模式図、図８は金型装置に挿入した木材の圧縮開始の模式図、図９は金型装置に挿入した木材をカ゛イト゛板で圧縮する状態の模式図、図１０は金型装置に挿入した木材をカ゛イト゛板及び上下金型で圧縮する状態の模式図、図１１は金型装置に挿入した木材を上下金型で圧縮する状態の模式図、図１２は金型装置に挿入した木材の圧縮完了状態の模式図、図１３はカ゛イト゛板の図面上での左右方向への後退を示す模式図、図１４は開放された圧縮木材を有する上下金型に緊締具をセットする状態の模式図、図１５は圧縮木材を有する上下金型に緊締具をセットし、上下金型を略完全に開放した状態の模式図、図１６は緊締具でセットされた圧縮木材を有する上下金型を取出した状態の模式図、図１７はカ゛イト゛板の図面上での左右方向への前進であって、上下金型のセット可能な状態を示す模式図、図１８は合体したカ゛イト゛板に上下金型をセットした状態を示す模式図、図１９は釜内に緊締具でセットされた圧縮木材を有する上下金型を収容した一例を示す縮尺模式図を示す。また図２０〜図３１は、角丸六角形の例であり、図の各例の模式図は、前記図７〜図１９に順ずる。図３２〜図４３は、正十二角形の例であり、図の各例の模式図は、前記図７〜図１９に順ずる。また図４４〜図５５は、正二十四角形の例であり、図の各例の模式図は、前記図７〜図１９に順ずる。図５６〜図６７は、長方形の例であり、図の各例の模式図は、前記図７〜図１９に順ずる。また図６８〜図７９は、正方形の例であり、図の各例の模式図は、前記図７〜図１９に順ずる。図８０〜図９１は、正八角形の例であり、図の各例の模式図は、前記図７〜図１９に順ずる。また図９２〜図１０３は、長六角形の例であり、図の各例の模式図は、前記図７〜図１９に順ずる。図１０４〜図１１３は、半六角形の例であり、図の各例の模式図は、前記図７〜図１９に順ずる。また図１１４〜図１２３は、平六角形の例であり、図の各例の模式図は、前記図７〜図１９に順ずる。図１２４〜図１３３は、半十二角形の例であり、図の各例の模式図は、前記図７〜図１９に順ずる。また図１３４〜図１４５は、正六角形の例であり、図の各例の模式図は、前記図７〜図１９に順ずる。図１４６〜図１５７は、角丸六角形の例であり、図の各例の模式図は、前記図７〜図１９に順ずる。また図１５８〜図１６９は、正十二角形の例であり、図の各例の模式図は、前記図７〜図１９に順ずる。図１７０〜図１８１は、正二十四角形の例であり、図の各例の模式図は、前記図７〜図１９に順ずる。また図１８２〜図１９３は、長方形の例であり、図の各例の模式図は、前記図７〜図１９に順ずる。また図１９４〜図２０５は、正方形の例であり、図の各例の模式図は、前記図７〜図１９に順ずる。図２０６〜図２１７は、正八角形の例であり、図の各例の模式図は、前記図７〜図１９に順ずる。
【００１３】
圧縮木材１の製造方法は、図７〜図１３３の例（前者）と、図１３４〜図２１７の例（後者）とに大別される。前者の代表例は、図７〜図１９であり、正六角形の圧縮木材１を製造する。
【００１４】
図７（図１、図２参照する）は一次側の一方カ゛イト゛板２（長片：以下省略）と、一次側の他方カ゛イト゛板３（長片：以下省略）との間には上型本体４がセットされる。この際に、上型本体４の内面４０、４０を、この一次側の一方カ゛イト゛板２に形成した一次側の一方　カ゛イト゛板の一方内方傾斜面２０と、位相位置となる（間欠的に設けた）一次側の他方　カ゛イト゛板３に形成した一次側の他方カ゛イト゛板の他方内方傾斜面３０と同じ傾斜面にしてセットされる。また上型本体４の外面４１、４１を、この一次側の一方カ゛イト゛板２に設けた一次側の一方カ゛イト゛板２ａ（短片：以下省略）の一方外方傾斜面２１と、位相位置となる一次側の他方カ゛イト゛板３の一次側の他方カ゛イト゛板３ａ（短片：以下省略）の他方外方傾斜面３１と同じ傾斜面にしてセットされる。
【００１５】
一方、二次側の一方カ゛イト゛板５（長片：以下省略）と、二次側の他方カ゛イト゛板６（長片：以下省略）との間には下型本体７がセットされる。この際に、下型本体７の内面７０、７０を、この二次側の一方カ゛イト゛板５に形成した二次側の一方カ゛イト゛板の一方内方傾斜面５０と、位相位置となる二次側の他方カ゛イト゛板６に形成した二次側の他方カ゛イ　ト゛板の他方内方傾斜面６０と同じ傾斜面にしてセットされる。また下型本体７の外面７１、７１を、この二次側の一方カ゛イト゛板５ａ（短片：以下省略）に設けた二次側の一方カ゛イト゛板の一方外方傾斜面５１と、位相位置となる二次側の他方カ゛イト゛板６ａ（短片：以下省略）の二次側の他方カ゛イト゛板の他方外方傾斜面６１と同じ傾斜面にしてセットされる。
【００１６】
このセットされた状態で、下型本体７と、二次側の一方カ゛イト゛板５及び二次側の他方カ゛イト゛板６とで形成された空間Ｈに木材１ａが挿入される。そして、図８〜図１１の経過を辿る。即ち、上型本体４と、一次側の一方カ゛イト゛板２及び一次側の一方カ゛イト゛板２ａと、一次側の他方カ゛イト゛板３及び一次側の他方カ゛イト゛板３ａとが、図示しないシリンタ゛ー等の一次移動手段を介して順次降下する。この降下が順次進行して行き最終的には、一次側の一方カ゛イト゛板２及び一次側の一方カ゛イト゛板２ａと、二次側の一方カ゛イト゛板５ａ及び二次側の一方カ゛イト゛板５と、また一次側の他方カ゛イト゛板３ａ及び一次側の他方　カ゛イト゛板３と、二次側の他方カ゛イト゛板６及び二次側の他方方カ゛イト゛板６ａとにそれぞれ合致する。従って、空間Ｈに挿入された木材１ａは、図９〜図１１の如く、順次圧縮される。そして、一次側の一方カ゛イト゛板の一方（他方）内方傾斜面２０（３０）と、二次側の一方カ゛イト゛板の一方（他方）外方傾斜面５１（６１）とが接合し、また一次側の他方カ゛イト゛板の一方（他方）外方傾斜面２１（３１）と、二次側の一方カ゛イト゛板の一方（他方）内方傾斜面５０（６０）とが接合した図１２となった時点で、圧縮が終了する。
【００１７】
圧縮が終了した時点で、図１３〜図１５の経過を辿る。即ち、下型本体７と上型本体４を残して、一次側の一方カ゛イト゛板２及び二次側の一方カ゛イト゛板５が合体状態で、また一次側の他方カ゛イト゛板３及び二次側の他方カ゛イト゛板６が合体状態で、それぞれ後退する。従って、この下型本体７の上に、上下金型９、１０及び圧縮木材素材１ｂが位置する。その後、図１４に示すように、上下金型９、１０の袖片９１、９２・１０１、１０１に緊締具１１を取付け、この上下金型９、１０及び圧縮木材素材１ｂを固止する。そして、図１５の状態から、この上下金型９、１０及び圧縮木材素材１ｂ並びに緊締具１１を釜１２に移動する（図１９参照）。
【００１８】
この移動が終了した時点で、金型装置は開放状態となり、次の作業に係る。即ち、図１６〜図１８の経過を辿る。図１７は一次側の一方カ゛イト゛板２及び二次側の一方カ゛イト゛板５が合体状態で、また一次側の他方カ゛イト゛板３及び二次側の他方カ゛イト゛板６が合体状態で、それぞれ前進し最初の状態に戻る。従って、この合体状態の一次側の一方カ゛イト゛板２及び一次側の他方カ゛イト゛板３と、また二次側の一方カ゛イト゛板５及び二次側の他方カ゛イト゛板６との間に、上下金型９、１０が取付けられる。例えば、図１８に示すように、一次側の一方カ゛イト゛板２の一方溝２２及び一次側の他方カ゛イト゛板３の他方溝３２に、上金型９の袖片９１、９２が挿入される。また二次側の一方カ゛イト゛板５の一方溝５２及び二次側の他方カ゛イト゛板６の他方溝６２に、下金型１０の袖片１０１、１０２が挿入される。
【００１９】
以上の図７〜図１８に示した一工程によって、一本の圧縮木材素材１ｂが製造されるので、その都度、必要とする本数に相当した作業が行われる。
【００２０】
尚、図２０〜図１３３に関しては、上下金型９、１０の形状が異なる以外は、原則として同じ動作及び作業であり、説明は割愛する。
【００２１】
また図１３４〜図２１７に関しては、上下金型９、１０の寸法が異なるので、一次側の一方カ゛イト゛板２及び一次側の他方カ゛イト゛板３と、上型本体４との間にスヘ゜ース８（図示しないスヘ゜ーサ、枠板等もある）を利用して上金型９をセットする。また同様に、二次側の一方カ゛イト゛板５及び二次側の他方カ゛イト゛板６と、下型本体７との間にスヘ゜ース８０（図示しないスヘ゜ーサ）を利用して下金型１０をセットする。それ以外は、前述の例に準ずる。
【００２２】
図中２００は一方側枠板、２０１は他方側枠板を示しており、この一方側枠板２００には、一次側の一方カ゛イト゛板２及び二次側の一方カ゛イト゛板５が係止されており、シリンタ゛ー（図示せず）等の手段（二次移動手段）で、前進後退（図面では、左右移動）する。勿論、一次側の一方カ゛イト゛板２は昇降（図面では、上下移動）する。またこの他方側枠板２０１には、一次側の他方カ゛イト゛板３及び二次側の他方カ゛イト゛板６が係止されており、シリンタ゛ー等の手段で、前進後退する。勿論、一次側の他方カ゛イト゛板３は昇降する。
【００２３】
図中２０２は台車、２０３はレールを示す。
【００２４】
尚、前記は図示した、一次側の一方・他方カ゛イト゛板２・３及び二次側の一方・他方カ゛イト゛板５・６、上下型本体４、７、並びに上下金型９、１０とを主構成とした金型装置と、昇降・左右移動を担う一次・二次移動手段とを説明したが一例であり、この例に限定されない。従って、例えば、他の金型装置による例も可能であり、例えば、図示しないが、間欠式に設けた一次側の一方・他方金型カ゛イト゛板と、この一次側の一方・他方金型カ゛イト゛板に囓合する二次側の一方・他方金型カ゛イト゛板と、この各種のカ゛イト゛板を移動する一次・二次移動手段でなる圧縮機構であって、前記一次側の一方・他方金型カ゛イト゛板と二次側の一方・他方金型カ゛イト゛板とで金型装置を構成した構造も可能である。
【００２５】
【発明の効果】
請求項１の発明は、間欠的に設けた一次側の一方カ゛イト゛板と、一方カ゛イト゛板に対峙した一次側の他方カ゛イト゛板と、上型本体、及び上金型と、この上型本体の一次側の一方カ゛イト゛板と嵌合せ関係となる間欠的に設けた二次側の一方カ゛イト゛板と、一方カ゛イト゛板に対峙した上型本体の一次側の他方カ゛イト゛板と嵌合せ関係となる間欠的に設けた二次側の他方カ゛イト゛板と、下型本体、及び下金型と、上型本体及び一次側の一方・他方カ゛イト゛板を移動する一次移動手段、及び上下型本体及び一次・二次側の一方・他方カ゛イト゛板を移動する二次移動手段と、上下金型の嵌合形状を確保する緊締具とで構成される金型装置を利用して製造される圧縮木材であって、上下金型に、中空部を備えた木材を挿入し、この中空部を略完全に圧縮する構成とした圧縮木材の成形方法である。従って、圧縮木材を簡易に製造できること、又は圧縮スヒ゜ート゛の向上と、圧縮力の低減化、溢水の減少化等が図れること、等の特徴がある。また総合的な効果として、圧縮木材又は装置等の低コスト化、装置の簡略化、また利用分野の拡充等が図れる実益がある。
【００２６】
請求項２の発明は、請求項１に記載の中空部を孔として、孔を複数個繞設して設ける構成とした圧縮木材の成形方法である。従って、請求項１の目的を達成しつつ、より製造の容易な構造を提供できること、前記請求項１の特徴を凌駕する圧縮木材を提供できること、等の特徴がある。
【００２７】
請求項３の発明は、請求項１に記載の木材の中空部に、補強用として役立つ鋼材、鉄筋、樹脂、ハ゜イフ゜、圧縮木材等の芯材を挿入して、芯材入り木材を、圧縮成形して構成した金型装置を利用した圧縮木材である。従って、圧縮木材の強度の向上と、利用範囲の拡大が図れること、又は地震等の災害に強い圧縮木材を提供できること、又は災害時の人的な保護、倒壊防止等が図れること、また補強用の圧縮木材としての利用が図れること、等の特徴がある。
【００２８】
請求項４の発明は、請求項１に記載の中空部を孔として、孔を複数個繞設し、孔に補強用として鋼材、鉄筋、樹脂、ハ゜イフ゜、圧縮木材等の芯材、又は各種の役割を担うワイヤー、ハ゜イフ゜、コート゛線等の部材を挿入して、芯材又は部材入り木材を、圧縮成形して構成した金型装置を利用した圧縮木材である。従って、請求項３の目的を達成するのに最適な圧縮木材を提供できる実益がある。
【図面の簡単な説明】
【図１】金型装置の要部の斜視図
【図２】図１の正面図
【図３】図３（ａ）は中空部をセンターに設けた木材の拡大正面図、同図（ｂ）は同図（ａ）の圧縮木材の拡大正面図
【図４】図４（ａ）は中空部を、孔として複数個繞設して設けた木材の拡大正面図、同図（ｂ）は同図（ａ）の圧縮木材の拡大正面図
【図５】図５（ａ）はセンターに設けた中空部に、芯材を設けた木材の拡大正面図、同図（ｂ）は同（ａ）の圧縮木材の拡大正面図
【図６】図６（ａ）は複数個繞設した孔に、芯材又は部材を設けた木材の拡大正面図、同図（ｂ）は同図（ａ）の圧縮木材の拡大正面図
【図７】正六角形の圧縮木材を成形する開放状態の金型装置に木材を搬入する状態の模式図
【図８】図７の金型装置に挿入した木材の圧縮開始の模式図
【図９】図７の金型装置に挿入した木材をカ゛イト゛板で圧縮する状態の模式図
【図１０】図７の金型装置に挿入した木材をカ゛イト゛板及び上下金型で圧縮する状態の模式図
【図１１】図７の金型装置に挿入した木材を上下金型で圧縮する状態の模式図
【図１２】図７の金型装置に挿入した木材の圧縮完了状態の模式図
【図１３】図７の金型装置のカ゛イト゛板の図面上での左右方向への後退を示す模式図
【図１４】図７の開放した金型装置の圧縮木材を有する上下金型に緊締具をセットする状態の模式図
【図１５】図７の圧縮木材を有する上下金型に緊締具をセットし、上下金型を略完全に開放した状態の模式図
【図１６】図７の金型装置における緊締具でセットされた圧縮木材を有する上下金型を取出した状態の模式図
【図１７】図７の金型装置のカ゛イト゛板の図面上での左右方向への前進であって、上下金型のセット可能な状態を示す模式図
【図１８】図７の金型装置において合体したカ゛イト゛板に上下金型をセットした状態を示す模式図
【図１９】図７の金型装置おいて釜内に緊締具でセットされた圧縮木材を有する上下金型を収容した一例を示す縮尺模式図
【図２０】角丸六角形の圧縮木材を成形する開放状態の金型装置に木材を搬入する状態の模式図
【図２１】図２０の金型装置に挿入した木材の圧縮開始の模式図
【図２２】図２０の金型装置に挿入した木材をカ゛イト゛板で圧縮する状態の模式図
【図２３】図２０の金型装置に挿入した木材をカ゛イト゛板及び上下金型で圧縮する状態の模式図
【図２４】図２０の金型装置に挿入した木材を上下金型で圧縮する状態の模式図
【図２５】図２０の金型装置に挿入した木材の圧縮完了状態の模式図
【図２６】図２０の金型装置のカ゛イト゛板の図面上での左右方向への後退を示す模式図
【図２７】図２０の開放した金型装置の圧縮木材を有する上下金型に緊締具をセットする状態の模式図
【図２８】図２０の圧縮木材を有する上下金型に緊締具をセットし、上下金型を略完全に開放した状態の模式図
【図２９】図２０の金型装置における緊締具でセットされた圧縮木材を有する上下金型を取出した状態の模式図
【図３０】図２０の金型装置のカ゛イト゛板の図面上での左右方向への前進であって、上下金型のセット可能な状態を示す模式図
【図３１】図２０の金型装置において合体したカ゛イト゛板に上下金型をセットした状態を示す模式図
【図３２】正十二角形の圧縮木材を成形する開放状態の金型装置に木材を搬入する状態の模式図
【図３３】図３２の金型装置に挿入した木材の圧縮開始の模式図
【図３４】図３２の金型装置に挿入した木材をカ゛イト゛板で圧縮する状態の模式図
【図３５】図３２の金型装置に挿入した木材をカ゛イト゛板及び上下金型で圧縮する状態
の模式図
【図３６】図３２の金型装置に挿入した木材を上下金型で圧縮する状態の模式図
【図３７】図３２の金型装置に挿入した木材の圧縮完了状態の模式図
【図３８】図３２の金型装置のカ゛イト゛板の図面上での左右方向への後退を示す模式図
【図３９】図３２の開放した金型装置の圧縮木材を有する上下金型に緊締具をセットする状態の模式図
【図４０】図３２の圧縮木材を有する上下金型に緊締具をセットし、上下金型を略完全に開放した状態の模式図
【図４１】図３２の金型装置における緊締具でセットされた圧縮木材を有する上下金型を取出した状態の模式図
【図４２】図３２の金型装置のカ゛イト゛板の図面上での左右方向への前進であって、上下金型のセット可能な状態を示す模式図
【図４３】図３２の金型装置において合体したカ゛イト゛板に上下金型をセットした状態を示す模式図
【図４４】正二十四角形の圧縮木材を成形する開放状態の金型装置に木材を搬入する状態の模式図
【図４５】図４４の金型装置に挿入した木材の圧縮開始の模式図
【図４６】図４４の金型装置に挿入した木材をカ゛イト゛板で圧縮する状態の模式図
【図４７】図４４の金型装置に挿入した木材をカ゛イト゛板及び上下金型で圧縮する状態の模式図
【図４８】図４４の金型装置に挿入した木材を上下金型で圧縮する状態の模式図
【図４９】図４４の金型装置に挿入した木材の圧縮完了状態の模式図
【図５０】図４４の金型装置のカ゛イト゛板の図面上での左右方向への後退を示す模式図
【図５１】図４４の開放した金型装置の圧縮木材を有する上下金型に緊締具をセットする状態の模式図
【図５２】図４４の圧縮木材を有する上下金型に緊締具をセットし、上下金型を略完全に開放した状態の模式図
【図５３】図４４の金型装置における緊締具でセットされた圧縮木材を有する上下金型を取出した状態の模式図
【図５４】図４４の金型装置のカ゛イト゛板の図面上での左右方向への前進であって、上下金型のセット可能な状態を示す模式図
【図５５】図４４の金型装置において合体したカ゛イト゛板に上下金型をセットした状態を示す模式図
【図５６】長方形の圧縮木材を成形する開放状態の金型装置に木材を搬入する状態の模式図
【図５７】図５６の金型装置に挿入した木材の圧縮開始の模式図
【図５８】図５６の金型装置に挿入した木材をカ゛イト゛板で圧縮する状態の模式図
【図５９】図５６の金型装置に挿入した木材をカ゛イト゛板及び上下金型で圧縮する状態の模式図
【図６０】図５６の金型装置に挿入した木材を上下金型で圧縮する状態の模式図
【図６１】図５６の金型装置に挿入した木材の圧縮完了状態の模式図
【図６２】図５６の金型装置のカ゛イト゛板の図面上での左右方向への後退を示す模式図
【図６３】図５６の開放した金型装置の圧縮木材を有する上下金型に緊締具をセットする状態の模式図
【図６４】図５６の圧縮木材を有する上下金型に緊締具をセットし、上下金型を略完全に開放した状態の模式図
【図６５】図５６の金型装置における緊締具でセットされた圧縮木材を有する上下金型を取出した状態の模式図
【図６６】図５６の金型装置のカ゛イト゛板の図面上での左右方向への前進であって、上下金型のセット可能な状態を示す模式図
【図６７】図５６の金型装置において合体したカ゛イト゛板に上下金型をセットした状態を示す模式図
【図６８】正方形の圧縮木材を成形する開放状態の金型装置に木材を搬入する状態
の模式図
【図６９】図６８の金型装置に挿入した木材の圧縮開始の模式図
【図７０】図６８の金型装置に挿入した木材をカ゛イト゛板で圧縮する状態の模式図
【図７１】図６８の金型装置に挿入した木材をカ゛イト゛板及び上下金型で圧縮する状態の模式図
【図７２】図６８の金型装置に挿入した木材を上下金型で圧縮する状態の模式図
【図７３】図６８の金型装置に挿入した木材の圧縮完了状態の模式図
【図７４】図６８の金型装置のカ゛イト゛板の図面上での左右方向への後退を示す模式図
【図７５】図６８の開放した金型装置の圧縮木材を有する上下金型に緊締具をセットする状態の模式図
【図７６】図６８の圧縮木材を有する上下金型に緊締具をセットし、上下金型を略完全に開放した状態の模式図
【図７７】図６８の金型装置における緊締具でセットされた圧縮木材を有する上下金型を取出した状態の模式図
【図７８】図６８の金型装置のカ゛イト゛板の図面上での左右方向への前進であって、上下金型のセット可能な状態を示す模式図
【図７９】図６８の金型装置において合体したカ゛イト゛板に上下金型をセットした状態を示す模式図
【図８０】正八角形の圧縮木材を成形する開放状態の金型装置に木材を搬入する状態の模式図
【図８１】図８０の金型装置に挿入した木材の圧縮開始の模式図
【図８２】図８０の金型装置に挿入した木材をカ゛イト゛板で圧縮する状態の模式図
【図８３】図８０の金型装置に挿入した木材をカ゛イト゛板及び上下金型で圧縮する状態の模式図
【図８４】図８０の金型装置に挿入した木材を上下金型で圧縮する状態の模式図
【図８５】図８０の金型装置に挿入した木材の圧縮完了状態の模式図
【図８６】図８０の金型装置のカ゛イト゛板の図面上での左右方向への後退を示す模式図
【図８７】図８０の開放した金型装置の圧縮木材を有する上下金型に緊締具をセットする状態の模式図
【図８８】図８０の圧縮木材を有する上下金型に緊締具をセットし、上下金型を略完全に開放した状態の模式図
【図８９】図８０の金型装置における緊締具でセットされた圧縮木材を有する上下金型を取出した状態の模式図
【図９０】図８０の金型装置のカ゛イト゛板の図面上での左右方向への前進であって、上下金型のセット可能な状態を示す模式図
【図９１】図８０の金型装置において合体したカ゛イト゛板に上下金型をセットした状態を示す模式図
【図９２】長六角形の圧縮木材を成形する開放状態の金型装置に木材を搬入する状態の模式図
【図９３】図９２の金型装置に挿入した木材の圧縮開始の模式図
【図９４】図９２の金型装置に挿入した木材をカ゛イト゛板で圧縮する状態の模式図
【図９５】図９２の金型装置に挿入した木材をカ゛イト゛板及び上下金型で圧縮する状態の模式図
【図９６】図９２の金型装置に挿入した木材を上下金型で圧縮する状態の模式図
【図９７】図９２の金型装置に挿入した木材の圧縮完了状態の模式図
【図９８】図９２の金型装置のカ゛イト゛板の図面上での左右方向への後退を示す模式図
【図９９】図９２の開放した金型装置の圧縮木材を有する上下金型に緊締具をセットする状態の模式図
【図１００】図９２の圧縮木材を有する上下金型に緊締具をセットし、上下金型を略完全に開放した状態の模式図
【図１０１】図９２の金型装置における緊締具でセットされた圧縮木材を有する上下金型を取出した状態の模式図
【図１０２】図９２の金型装置のカ゛イト゛板の図面上での左右方向への前進であって、上下金型のセット可能な状態を示す模式図
【図１０３】図９２の金型装置において合体したカ゛イト゛板に上下金型をセットした状態を示す模式図
【図１０４】半六角形の圧縮木材を成形する開放状態の金型装置に木材を搬入する状態の模式図
【図１０５】図１０４の金型装置に挿入した木材の圧縮開始の模式図
【図１０６】図１０４の金型装置に挿入した木材を上下金型で圧縮する状態の模式図
【図１０７】図１０４の金型装置に挿入した木材の圧縮完了状態の模式図
【図１０８】図１０４の金型装置のカ゛イト゛板の図面上での左右方向への後退を示す模式図
【図１０９】図１０４の開放した金型装置の圧縮木材を有する上下金型に緊締具をセット　　　する状態の模式図
【図１１０】図１０４の圧縮木材を有する上下金型に緊締具をセットし、上下金型を略完全に開放した状態の模式図
【図１１１】図１０４の金型装置における緊締具でセットされた圧縮木材を有する上下金型を取出した状態の模式図
【図１１２】図１０４の金型装置のカ゛イト゛板の図面上での左右方向への前進であって、上下金型のセット可能な状態を示す模式図
【図１１３】図１０４の金型装置において合体したカ゛イト゛板に上下金型をセットした状態を示す模式図
【図１１４】平六角形の圧縮木材を成形する開放状態の金型装置に木材を搬入する状態の模式図
【図１１５】図１１４の金型装置に挿入した木材の圧縮開始の模式図
【図１１６】図１１４の金型装置に挿入した木材を上下金型で圧縮する状態の模式図
【図１１７】図１１４の金型装置に挿入した木材の圧縮完了状態の模式図
【図１１８】図１１４の金型装置のカ゛イト゛板の図面上での左右方向への後退を示す模式図
【図１１９】図１１４の開放した金型装置の圧縮木材を有する上下金型に緊締具をセット　　　する状態の模式図
【図１２０】図１１４の圧縮木材を有する上下金型に緊締具をセットし、上下金型を略完全に開放した状態の模式図
【図１２１】図１１４の金型装置における緊締具でセットされた圧縮木材を有する上下金型を取出した状態の模式図
【図１２２】図１１４の金型装置のカ゛イト゛板の図面上での左右方向への前進であって、上下金型のセット可能な状態を示す模式図
【図１２３】図１１４の金型装置において合体したカ゛イト゛板に上下金型をセットした状態を示す模式図
【図１２４】半十二角形の圧縮木材を成形する開放状態の金型装置に木材を搬入する状態の模式図
【図１２５】図１２４の金型装置に挿入した木材の圧縮開始の模式図
【図１２６】図１２４の金型装置に挿入した木材を上下金型で圧縮する状態の模式図
【図１２７】図１２４の金型装置に挿入した木材の圧縮完了状態の模式図
【図１２８】図１２４の金型装置のカ゛イト゛板の図面上での左右方向への後退を示す模式図
【図１２９】図１２４の開放した金型装置の圧縮木材を有する上下金型に緊締具をセット　　　する状態の模式図
【図１３０】図１２４の圧縮木材を有する上下金型に緊締具をセットし、上下金型を略完全に開放した状態の模式図
【図１３１】図１２４の金型装置における緊締具でセットされた圧縮木材を有する上下金型を取出した状態の模式図
【図１３２】図１２４の金型装置のカ゛イト゛板の図面上での左右方向への前進であって、上下金型のセット可能な状態を示す模式図
【図１３３】図１２４の金型装置において合体したカ゛イト゛板に上下金型をセットした状態を示す模式図
【図１３４】正六角形の圧縮木材を成形する開放状態の金型装置に木材を搬入する状態の模式図
【図１３５】図１３４の金型装置に挿入した木材の圧縮開始の模式図
【図１３６】図１３４の金型装置に挿入した木材をカ゛イト゛板で圧縮する状態の模式図
【図１３７】図１３４の金型装置に挿入した木材をカ゛イト゛板及び上下金型で圧縮する状態の模式図
【図１３８】図１３４の金型装置に挿入した木材を上下金型で圧縮する状態の模式図
【図１３９】図１３４の金型装置に挿入した木材の圧縮完了状態の模式図
【図１４０】図１３４の金型装置のカ゛イト゛板の図面上での左右方向への後退を示す模式図
【図１４１】図１３４の開放した金型装置の圧縮木材を有する上下金型に緊締具をセット　　　する状態の模式図
【図１４２】図１３４の圧縮木材を有する上下金型に緊締具をセットし、上下金型を略完全に開放した状態の模式図
【図１４３】図１３４の金型装置における緊締具でセットされた圧縮木材を有する上下金型を取出した状態の模式図
【図１４４】図１３４の金型装置のカ゛イト゛板の図面上での左右方向への前進であって、上下金型のセット可能な状態を示す模式図
【図１４５】図１３４の金型装置において合体したカ゛イト゛板に上下金型をセットした状態を示す模式図
【図１４６】角丸六角形の圧縮木材を成形する開放状態の金型装置に木材を搬入する状態の模式図
【図１４７】図１４６の金型装置に挿入した木材の圧縮開始の模式図
【図１４８】図１４６の金型装置に挿入した木材をカ゛イト゛板で圧縮する状態の模式図
【図１４９】図１４６の金型装置に挿入した木材をカ゛イト゛板及び上下金型で圧縮する状態の模式図
【図１５０】図１４６の金型装置に挿入した木材を上下金型で圧縮する状態の模式図
【図１５１】図１４６の金型装置に挿入した木材の圧縮完了状態の模式図
【図１５２】図１４６の金型装置のカ゛イト゛板の図面上での左右方向への後退を示す模式図
【図１５３】図１４６の開放した金型装置の圧縮木材を有する上下金型に緊締具をセット　　　する状態の模式図
【図１５４】図１４６の圧縮木材を有する上下金型に緊締具をセットし、上下金型を略完全に開放した状態の模式図
【図１５５】図１４６の金型装置における緊締具でセットされた圧縮木材を有する上下金型を取出した状態の模式図
【図１５６】図１４６の金型装置のカ゛イト゛板の図面上での左右方向への前進であって、上下金型のセット可能な状態を示す模式図
【図１５７】図１４６の金型装置において合体したカ゛イト゛板に上下金型をセットした状態を示す模式図
【図１５８】正十二角形の圧縮木材を成形する開放状態の金型装置に木材を搬入する状態の模式図
【図１５９】図１５８の金型装置に挿入した木材の圧縮開始の模式図
【図１６０】図１５８の金型装置に挿入した木材をカ゛イト゛板で圧縮する状態の模式図
【図１６１】図１５８の金型装置に挿入した木材をカ゛イト゛板及び上下金型で圧縮する状態の模式図
【図１６２】図１５８の金型装置に挿入した木材を上下金型で圧縮する状態の模式図
【図１６３】図１５８の金型装置に挿入した木材の圧縮完了状態の模式図
【図１６４】図１５８の金型装置のカ゛イト゛板の図面上での左右方向への後退を示す模式図
【図１６５】図１５８の開放した金型装置の圧縮木材を有する上下金型に緊締具をセット　　　する状態の模式図
【図１６６】図１５８の圧縮木材を有する上下金型に緊締具をセットし、上下金型を略完全に開放した状態の模式図
【図１６７】図１５８の金型装置における緊締具でセットされた圧縮木材を有する上下金型を取出した状態の模式図
【図１６８】図１５８の金型装置のカ゛イト゛板の図面上での左右方向への前進であって、上下金型のセット可能な状態を示す模式図
【図１６９】図１５８の金型装置において合体したカ゛イト゛板に上下金型をセットした状態を示す模式図
【図１７０】正二十四角形の圧縮木材を成形する開放状態の金型装置に木材を搬入する状態の模式図
【図１７１】図１７０の金型装置に挿入した木材の圧縮開始の模式図
【図１７２】図１７０の金型装置に挿入した木材をカ゛イト゛板で圧縮する状態の模式図
【図１７３】図１７０の金型装置に挿入した木材をカ゛イト゛板及び上下金型で圧縮する状態の模式図
【図１７４】図１７０の金型装置に挿入した木材を上下金型で圧縮する状態の模式図
【図１７５】図１７０の金型装置に挿入した木材の圧縮完了状態の模式図
【図１７６】図１７０の金型装置のカ゛イト゛板の図面上での左右方向への後退を示す模式図
【図１７７】図１７０の開放した金型装置の圧縮木材を有する上下金型に緊締具をセット　　　する状態の模式図
【図１７８】図１７０の圧縮木材を有する上下金型に緊締具をセットし、上下金型を略完全に開放した状態の模式図
【図１７９】図１７０の金型装置における緊締具でセットされた圧縮木材を有する上下金型を取出した状態の模式図
【図１８０】図１７０の金型装置のカ゛イト゛板の図面上での左右方向への前進であって、上下金型のセット可能な状態を示す模式図
【図１８１】図１７０の金型装置において合体したカ゛イト゛板に上下金型をセットした状態を示す模式図
【図１８２】長方形の圧縮木材を成形する開放状態の金型装置に木材を搬入する状態の模式図
【図１８３】図１８２の金型装置に挿入した木材の圧縮開始の模式図
【図１８４】図１８２の金型装置に挿入した木材をカ゛イト゛板で圧縮する状態の模式図
【図１８５】図１８２の金型装置に挿入した木材をカ゛イト゛板及び上下金型で圧縮する状態の模式図
【図１８６】図１８２金型装置に挿入した木材を上下金型で圧縮する状態の模式図
【図１８７】図１８２の金型装置に挿入した木材の圧縮完了状態の模式図
【図１８８】図１８２の金型装置のカ゛イト゛板の図面上での左右方向への後退を示す模式図
【図１８９】図１８２の開放した金型装置の圧縮木材を有する上下金型に緊締具をセット
する状態の模式図
【図１９０】図１８２の圧縮木材を有する上下金型に緊締具をセットし、上下金型を略完全に開放した状態の模式図
【図１９１】図１８２の金型装置における緊締具でセットされた圧縮木材を有する上下金型を取出した状態の模式図
【図１９２】図１８２の金型装置のカ゛イト゛板の図面上での左右方向への前進であって、上下金型のセット可能な状態を示す模式図
【図１９３】図１８２の金型装置において合体したカ゛イト゛板に上下金型をセットした状態を示す模式図
【図１９４】正方形の圧縮木材を成形する開放状態の金型装置に木材を搬入する状態の模式図
【図１９５】図１９４の金型装置に挿入した木材の圧縮開始の模式図
【図１９６】図１９４の金型装置に挿入した木材をカ゛イト゛板で圧縮する状態の模式図
【図１９７】図１９４の金型装置に挿入した木材をカ゛イト゛板及び上下金型で圧縮する状態の模式図
【図１９８】図１９４の金型装置に挿入した木材を上下金型で圧縮する状態の模式図
【図１９９】図１９４の金型装置に挿入した木材の圧縮完了状態の模式図
【図２００】図１９４の金型装置のカ゛イト゛板の図面上での左右方向への後退を示す模式
図
【図２０１】図１９４の開放した金型装置の圧縮木材を有する上下金型に緊締具をセット　　　する状態の模式図
【図２０２】図１９４の圧縮木材を有する上下金型に緊締具をセットし、上下金型を略完全に開放した状態の模式図
【図２０３】図１９４の金型装置における緊締具でセットされた圧縮木材を有する上下金型を取出した状態の模式図
【図２０４】図１９４の金型装置のカ゛イト゛板の図面上での左右方向への前進であって、上下金型のセット可能な状態を示す模式図
【図２０５】図１９４の金型装置において合体したカ゛イト゛板に上下金型をセットした状態を示す模式図
【図２０６】正八角形の圧縮木材を成形する開放状態の金型装置に木材を搬入する状態の模式図
【図２０７】図２０６の金型装置に挿入した木材の圧縮開始の模式図
【図２０８】図２０６の金型装置に挿入した木材をカ゛イト゛板で圧縮する状態の模式図
【図２０９】図２０６の金型装置に挿入した木材をカ゛イト゛板及び上下金型で圧縮する状態の模式図
【図２１０】図２０６の金型装置に挿入した木材を上下金型で圧縮する状態の模式図
【図２１１】図２０６の金型装置に挿入した木材の圧縮完了状態の模式図
【図２１２】図２０６の金型装置のカ゛イト゛板の図面上での左右方向への後退を示す模式図
【図２１３】図２０６の開放した金型装置の圧縮木材を有する上下金型に緊締具をセット　　　する状態の模式図
【図２１４】図２０６の圧縮木材を有する上下金型に緊締具をセットし、上下金型を略完全に開放した状態の模式図
【図２１５】図２０６の金型装置における緊締具でセットされた圧縮木材を有する上下金型を取出した状態の模式図
【図２１６】図２０６の金型装置のカ゛イト゛板の図面上での左右方向への前進であって、上下金型のセット可能な状態を示す模式図
【図２１７】図２０６の金型装置において合体したカ゛イト゛板に上下金型をセットした状態を示す模式図
【符号の説明】
１　　　　　圧縮木材
１ａ　　　　木材
１ａ−１　　　中空部
１ａ−２　　　孔
１ａ−３　　　芯材
１ａ−４　　　部材
１ｂ　　　　圧縮木材素材
２　　　　　一次側の一方カ゛イト゛板（長片）
２ａ　　　　一次側の一方カ゛イト゛板（短片）
２０　　　　一次側の一方カ゛イト゛板の一方内方傾斜面
２１　　　　一次側の一方カ゛イト゛板の一方外方傾斜面
２２　　　　一方溝
３　　　　　一次側の他方カ゛イト゛板（長片）
３ａ　　　　一次側の他方カ゛イト゛板（短片）
３０　　　　一次側の他方カ゛イト゛板の他方内方傾斜面
３１　　　　一次側の他方カ゛イト゛板の他方外方傾斜面
３２　　　　他方溝
４　　　　　上型本体
４０　　　　　内面
４１　　　　　外面
５　　　　　二次側の一方カ゛イト゛板（長片）
５ａ　　　　二次側の一方カ゛イト゛板（短片）
５０　　　　二次側の一方カ゛イト゛板の一方内方傾斜面
５１　　　　二次側の一方カ゛イト゛板の一方外方傾斜面
５２　　　　一方溝
６　　　　　二次側の他方カ゛イト゛板（長片）
６ａ　　　　二次側の他方カ゛イト゛板（短片）
６０　　　　二次側の他方カ゛イト゛板の他方内方傾斜面
６１　　　　二次側の他方カ゛イト゛板の他方外方傾斜面
６２　　　　他方溝
７　　　　　下型本体
７０　　　　内面
７１　　　　外面
８　　　　　スヘ゜ース
８０　　　　スヘ゜ース
９　　　　　上金型
９１　　　　袖片
９２　　　　袖片
１０　　　　下金型
１０１　　　　袖片
１０２　　　　袖片
１１　　　　緊締具
１２　　　　釜
２００　　　　一方側枠板
２０１　　　　他方側枠板
２０２　　　　台車
２０３　　　　レール
Ｈ　　　　　空間
【図１】
2004009567.tif 000003
【図２】
2004009567.tif 000004
【図３】
2004009567.tif 000005
【図４】
2004009567.tif 000006
【図５】
2004009567.tif 000007
【図６】
2004009567.tif 000008
【図７】
2004009567.tif 000009
【図８】
2004009567.tif 000010
【図９】
2004009567.tif 000011
【図１０】
2004009567.tif 000012
【図１１】
2004009567.tif 000013
【図１２】
2004009567.tif 000014
【図１３】
2004009567.tif 000015
【図１４】
2004009567.tif 000016
【図１５】
2004009567.tif 000017
【図１６】
2004009567.tif 000018
【図１７】
2004009567.tif 000019
【図１８】
2004009567.tif 000020
【図１９】
2004009567.tif 000021
【図２０】
2004009567.tif 000022
【図２１】
2004009567.tif 000023
【図２２】
2004009567.tif 000024
【図２３】
2004009567.tif 000025
【図２４】
2004009567.tif 000026
【図２５】
2004009567.tif 000027
【図２６】
2004009567.tif 000028
【図２７】
2004009567.tif 000029
【図２８】
2004009567.tif 000030
【図２９】
2004009567.tif 000031
【図３０】
2004009567.tif 000032
【図３１】
2004009567.tif 000033
【図３２】
2004009567.tif 000034
【図３３】
2004009567.tif 000035
【図３４】
2004009567.tif 000036
【図３５】
2004009567.tif 000037
【図３６】
2004009567.tif 000038
【図３７】
2004009567.tif 000039
【図３８】
2004009567.tif 000040
【図３９】
2004009567.tif 000041
【図４０】
2004009567.tif 000042
【図４１】
2004009567.tif 000043
【図４２】
2004009567.tif 000044
【図４３】
2004009567.tif 000045
【図４４】
2004009567.tif 000046
【図４５】
2004009567.tif 000047
【図４６】
2004009567.tif 000048
【図４７】
2004009567.tif 000049
【図４８】
2004009567.tif 000050
【図４９】
2004009567.tif 000051
【図５０】
2004009567.tif 000052
【図５１】
2004009567.tif 000053
【図５２】
2004009567.tif 000054
【図５３】
2004009567.tif 000055
【図５４】
2004009567.tif 000056
【図５５】
2004009567.tif 000057
【図５６】
2004009567.tif 000058
【図５７】
2004009567.tif 000059
【図５８】
2004009567.tif 000060
【図５９】
2004009567.tif 000061
【図６０】
2004009567.tif 000062
【図６１】
2004009567.tif 000063
【図６２】
2004009567.tif 000064
【図６３】
2004009567.tif 000065
【図６４】
2004009567.tif 000066
【図６５】
2004009567.tif 000067
【図６６】
2004009567.tif 000068
【図６７】
2004009567.tif 000069
【図６８】
2004009567.tif 000070
【図６９】
2004009567.tif 000071
【図７０】
2004009567.tif 000072
【図７１】
2004009567.tif 000073
【図７２】
2004009567.tif 000074
【図７３】
2004009567.tif 000075
【図７４】
2004009567.tif 000076
【図７５】
2004009567.tif 000077
【図７６】
2004009567.tif 000078
【図７７】
2004009567.tif 000079
【図７８】
2004009567.tif 000080
【図７９】
2004009567.tif 000081
【図８０】
2004009567.tif 000082
【図８１】
2004009567.tif 000083
【図８２】
2004009567.tif 000084
【図８３】
2004009567.tif 000085
【図８４】
2004009567.tif 000086
【図８５】
2004009567.tif 000087
【図８６】
2004009567.tif 000088
【図８７】
2004009567.tif 000089
【図８８】
2004009567.tif 000090
【図８９】
2004009567.tif 000091
【図９０】
2004009567.tif 000092
【図９１】
2004009567.tif 000093
【図９２】
2004009567.tif 000094
【図９３】
2004009567.tif 000095
【図９４】
2004009567.tif 000096
【図９５】
2004009567.tif 000097
【図９６】
2004009567.tif 000098
【図９７】
2004009567.tif 000099
【図９８】
2004009567.tif 000100
【図９９】
2004009567.tif 000101
【図１００】
2004009567.tif 000102
【図１０１】
2004009567.tif 000103
【図１０２】
2004009567.tif 000104
【図１０３】
2004009567.tif 000105
【図１０４】
2004009567.tif 000106
【図１０５】
2004009567.tif 000107
【図１０６】
2004009567.tif 000108
【図１０７】
2004009567.tif 000109
【図１０８】
2004009567.tif 000110
【図１０９】
2004009567.tif 000111
【図１１０】
2004009567.tif 000112
【図１１１】
2004009567.tif 000113
【図１１２】
2004009567.tif 000114
【図１１３】
2004009567.tif 000115
【図１１４】
2004009567.tif 000116
【図１１５】
2004009567.tif 000117
【図１１６】
2004009567.tif 000118
【図１１７】
2004009567.tif 000119
【図１１８】
2004009567.tif 000120
【図１１９】
2004009567.tif 000121
【図１２０】
2004009567.tif 000122
【図１２１】
2004009567.tif 000123
【図１２２】
2004009567.tif 000124
【図１２３】
2004009567.tif 000125
【図１２４】
2004009567.tif 000126
【図１２５】
2004009567.tif 000127
【図１２６】
2004009567.tif 000128
【図１２７】
2004009567.tif 000129
【図１２８】
2004009567.tif 000130
【図１２９】
2004009567.tif 000131
【図１３０】
2004009567.tif 000132
【図１３１】
2004009567.tif 000133
【図１３２】
2004009567.tif 000134
【図１３３】
2004009567.tif 000135
【図１３４】
2004009567.tif 000136
【図１３５】
2004009567.tif 000137
【図１３６】
2004009567.tif 000138
【図１３７】
2004009567.tif 000139
【図１３８】
2004009567.tif 000140
【図１３９】
2004009567.tif 000141
【図１４０】
2004009567.tif 000142
【図１４１】
2004009567.tif 000143
【図１４２】
2004009567.tif 000144
【図１４３】
2004009567.tif 000145
【図１４４】
2004009567.tif 000146
【図１４５】
2004009567.tif 000147
【図１４６】
2004009567.tif 000148
【図１４７】
2004009567.tif 000149
【図１４８】
2004009567.tif 000150
【図１４９】
2004009567.tif 000151
【図１５０】
2004009567.tif 000152
【図１５１】
2004009567.tif 000153
【図１５２】
2004009567.tif 000154
【図１５３】
2004009567.tif 000155
【図１５４】
2004009567.tif 000156
【図１５５】
2004009567.tif 000157
【図１５６】
2004009567.tif 000158
【図１５７】
2004009567.tif 000159
【図１５８】
2004009567.tif 000160
【図１５９】
2004009567.tif 000161
【図１６０】
2004009567.tif 000162
【図１６１】
2004009567.tif 000163
【図１６２】
2004009567.tif 000164
【図１６３】
2004009567.tif 000165
【図１６４】
2004009567.tif 000166
【図１６５】
2004009567.tif 000167
【図１６６】
2004009567.tif 000168
【図１６７】
2004009567.tif 000169
【図１６８】
2004009567.tif 000170
【図１６９】
2004009567.tif 000171
【図１７０】
2004009567.tif 000172
【図１７１】
2004009567.tif 000173
【図１７２】
2004009567.tif 000174
【図１７３】
2004009567.tif 000175
【図１７４】
2004009567.tif 000176
【図１７５】
2004009567.tif 000177
【図１７６】
2004009567.tif 000178
【図１７７】
2004009567.tif 000179
【図１７８】
2004009567.tif 000180
【図１７９】
2004009567.tif 000181
【図１８０】
2004009567.tif 000182
【図１８１】
2004009567.tif 000183
【図１８２】
2004009567.tif 000184
【図１８３】
2004009567.tif 000185
【図１８４】
2004009567.tif 000186
【図１８５】
2004009567.tif 000187
【図１８６】
2004009567.tif 000188
【図１８７】
2004009567.tif 000189
【図１８８】
2004009567.tif 000190
【図１８９】
2004009567.tif 000191
【図１９０】
2004009567.tif 000192
【図１９１】
2004009567.tif 000193
【図１９２】
2004009567.tif 000194
【図１９３】
2004009567.tif 000195
【図１９４】
2004009567.tif 000196
【図１９５】
2004009567.tif 000197
【図１９６】
2004009567.tif 000198
【図１９７】
2004009567.tif 000199
【図１９８】
2004009567.tif 000200
【図１９９】
2004009567.tif 000201
【図２００】
2004009567.tif 000202
【図２０１】
2004009567.tif 000203
【図２０２】
2004009567.tif 000204
【図２０３】
2004009567.tif 000205
【図２０４】
2004009567.tif 000206
【図２０５】
2004009567.tif 000207
【図２０６】
2004009567.tif 000208
【図２０７】
2004009567.tif 000209
【図２０８】
2004009567.tif 000210
【図２０９】
2004009567.tif 000211
【図２１０】
2004009567.tif 000212
【図２１１】
2004009567.tif 000213
【図２１２】
2004009567.tif 000214
【図２１３】
2004009567.tif 000215
【図２１４】
2004009567.tif 000216
【図２１５】
2004009567.tif 000217
【図２１６】
2004009567.tif 000218
【図２１７】
2004009567.tif 000219